(57)【要約】【課題】スピーカからの音波によって筐体が振動することを抑制する。【解決手段】この電子機器は、筐体６０、スピーカ１０、振動検出部９０、及び制御部１００を備えている。スピーカ１０は、筐体６０内に配置され筐体６０の外部に向けた音波を出力する。振動検出部９０は、筐体６０に生じる振動を検出する。制御部１００は、振動検出部９０の検出結果に基づいて、スピーカ１０に入力する音声信号を処理する。このため、スピーカ１０から出される音波によって筐体６０が振動することを抑制できる。【選択図】図１
2012216906.tif 000002
【特許請求の範囲】
【請求項１】
筐体と、
前記筐体内に配置され、前記筐体の外部に向けた音波を出力するスピーカと、
前記筐体に生じる振動を検出する振動検出手段と、
前記振動検出手段の検出結果に基づいて、前記スピーカに入力する音声信号を処理する制御手段と、
を備える電子機器。
【請求項２】
請求項１に記載の電子機器において、
前記制御手段は、前記音声信号の増幅率を周波数帯域別に増減処理する電子機器。
【請求項３】
請求項２に記載の電子機器において、
前記制御手段は、前記音声信号を基準にしたときの前記筐体に生じた振動の大きさが基準以上である場合に、当該周波数帯域における前記音声信号の信号レベルを低くする処理を、周波数帯域別に行う電子機器。
【請求項４】
請求項１〜３のいずれか一項に記載の電子機器において、
前記振動検出手段は、前記筐体に取り付けられた圧電素子である電子機器。
【発明の詳細な説明】
【技術分野】
【０００１】
本発明は、スピーカを筐体内に内蔵した電子機器に関する。
【背景技術】
【０００２】
近年は、携帯通信端末などの小型の電子機器の多機能化が進んでいる。小型の電子機器には、通信機能、及び音楽再生機能が含まれている場合が多い。
【０００３】
なお、特許文献１及び２には、加速度センサを用いてスピーカの振動（加速度及び速度）を検出し、検出した加速度及び速度をフィードバック処理することが記載されている。
【先行技術文献】
【特許文献】
【０００４】
【特許文献１】特開２００６−１９７２０６号公報
【特許文献２】特開２００７−８１８１５号公報
【発明の概要】
【発明が解決しようとする課題】
【０００５】
電子機器には軽量化も求められるため、電子機器の筐体を厚くしてその剛性を必要以上に高めることはできない。一方、電子機器にハンズフリーの再生機能を持たせる場合、電子機器が内蔵しているスピーカの出力はある程度大きくなる。この場合、電子機器の筐体が、スピーカからの音波によって振動し、再生音の音質に影響を与える可能性がある。
【０００６】
本発明の目的は、スピーカからの音波によって筐体が振動することを抑制できる電子機器を提供することにある。
【課題を解決するための手段】
【０００７】
本発明によれば、筐体と、
前記筐体内に配置され、前記筐体の外部に向けた音波を出力するスピーカと、
前記筐体に生じる振動を検出する振動検出手段と、
前記振動検出手段の検出結果に基づいて、前記スピーカに入力する音声信号を処理する制御手段と、
を備える電子機器が提供される。
【発明の効果】
【０００８】
本発明によれば、スピーカからの音波によって筐体が振動することを抑制できる。
【図面の簡単な説明】
【０００９】
【図１】実施形態に係る電子機器の機能構成を示すブロック図である。
【図２】図１に示した電気機器の概略図である。
【図３】制御部の構成を示すブロック図である。
【図４】音声信号処理部が行う処理の詳細を示すフローチャートである。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る電子機器の機能構成を示すブロック図である。この電子機器は、筐体６０、スピーカ１０、振動検出部９０、及び制御部１００を備えている。スピーカ１０は、筐体６０内に配置され筐体６０の外部に向けた音波を出力する。振動検出部９０は、筐体６０に生じる振動を検出する。制御部１００は、振動検出部９０の検出結果に基づいて、スピーカ１０に入力する音声信号を処理する。このため、スピーカ１０から出される音波によって筐体６０が振動することを抑制できる。以下、図２〜図４を用いつつ、具体的に説明を行う。
【００１２】
図２は、図１に示した電気機器の概略図である。本図に示す例において、電子機器は、折りたたみ型の携帯通信端末であり、筐体６０の端部及び筐体７０の端部をヒンジ部材８０で互いに固定した構成を有している。筐体６０の表面には表示ディスプレイが設けられており、筐体７０の表面には操作キーが設けられている。そして筐体６０の裏面には、音孔６２が設けられている。スピーカ１０は、音孔６２から音波を出すように、筐体６０内に配置されている。
【００１３】
筐体６０の裏面側の内面には、振動検出部９０が取り付けられている。振動検出部９０は、例えば圧電素子であり、筐体６０に生じた振動を電気信号に変換する。振動検出部９０は、筐体６０に対して複数設けられても良いし、一つのみ設けられても良い。
【００１４】
制御部１００は筐体７０内に設けられていても良いし、筐体６０内に設けられていても良い。
【００１５】
なお、電子機器は、スライド式の携帯通信端末であっても良いし、タッチパネル形式で入力を行う装置であっても良い。後者の場合、電子機器を構成する筐体は、筐体７０のみであっても良い。
【００１６】
図３は、制御部１００の構成を示すブロック図である。制御部１００は、アナログ増幅部１０２、ＡＤ変換部１０４、デジタル増幅部１０６、音声信号処理部１０８、デジタル増幅部１１０、ＤＡ変換部１１２、及びアナログ増幅部１１４を備えている。アナログ増幅部１０２は、振動検出部９０が出力するアナログ信号を増幅する。ＡＤ変換部１０４は、アナログ増幅部１０２が増幅したアナログ信号をデジタル信号に変換する。デジタル増幅部１０６は、ＡＤ変換部１０４が出力したデジタル信号を増幅する。
【００１７】
音声信号処理部１０８は、少なくともイコライザ機能及びマルチバンドコンプレッサ機能を有しており、デジタル増幅部１０６が増幅したデジタル信号に基づいて、スピーカ１０が出力すべき音声信号を処理する。音声信号処理部１０８が処理する段階において、音声信号はデジタル信号である。ここで行う処理の詳細については、フローチャートを用いて後述する。
【００１８】
デジタル増幅部１１０は、音声信号処理部１０８が処理したデジタル形式の音声信号を増幅する。ＤＡ変換部１１２は、デジタル増幅部１１０が増幅した音声信号をアナログ形式の音声信号に変換する。アナログ増幅部１１４は、ＤＡ変換部１１２が出力したアナログ形式の音声信号を増幅し、スピーカ１０に入力する。
【００１９】
図４は、音声信号処理部１０８が行う処理の詳細を示すフローチャートである。まず音声信号処理部１０８は、デジタル形式の音声信号に対してＳＴＦＴ（Short Time Fourier Transform）処理を行い（ステップＳ１０）、バッファリング及び平滑化を経てから、音声信号の周波数帯域別のエネルギーを算出する（ステップＳ２０）。また音声信号処理部１０８は、デジタル増幅部１０６から出力された振動検出部９０の検出信号に対してＳＴＦＴ処理を行い（ステップＳ３０）、バッファリング及び平滑化を経てから、音声信号の周波数帯域別のエネルギーを算出する（ステップＳ４０）。
【００２０】
次いで音声信号処理部１０８は、音声信号を基準にしたときの筐体に生じた振動の大きさが基準以上である場合に、当該周波数帯域における音声信号の信号レベルを低くする処理を、周波数帯域別に行う。具体的には、音声信号処理部１０８は、周波数帯域別に、ステップＳ２０で算出したエネルギーと、ステップＳ４０で算出したエネルギーとの差を算出する（ステップＳ５０）。次いで音声信号処理部１０８は、ステップＳ４０で算出したエネルギーが、ステップＳ２０で算出したエネルギーに対して基準値以上大きな周波数帯域を選択する（ステップＳ６０）そして音声信号処理部１０８は、ステップＳ６０で選択した周波数帯域において、音声信号の信号レベルを低くする処理を行う（ステップＳ７０）
【００２１】
以上、本実施形態によれば、音声信号処理部１０８は、音声信号を基準にしたときの筐体に生じた振動の大きさが基準値以上である場合に、当該周波数帯域における音声信号の信号レベルを低くする処理を、周波数帯域別に行う。従って、スピーカ１０から出される音波によって筐体６０が振動することを抑制できる。また、スピーカ１０と筐体６０の固定部分において振動が発生する場合においても、この振動を抑制することができる。
【００２２】
以上、図面を参照して本発明の実施形態について述べたが、これらは本発明の例示であり、上記以外の様々な構成を採用することもできる。
【符号の説明】
【００２３】
１０ スピーカ
６０ 筐体
６２ 音孔
７０ 筐体
８０ ヒンジ部材
９０ 振動検出部
１００ 制御部
１０２ アナログ増幅部
１０４ ＡＤ変換部
１０６ デジタル増幅部
１０８ 音声信号処理部
１１０ デジタル増幅部
１１２ ＤＡ変換部
１１４ アナログ増幅部
【図１】
2012216906.tif 000003
【図２】
2012216906.tif 000004
【図３】
2012216906.tif 000005
【図４】
2012216906.tif 000006